(57)【要約】      （修正有）【課題】除湿器が抜落し難く、また、フィルム包装や、接着剤、粘着テープによる接着作業を不要とし、コストダウンを図る上で有利な除湿器の包装容器を提供すること。【解決手段】包装容器は、底板部２２と、底板部２２から起立する第１の側板部２４および第２の側板部２６と、第１の側板部２４に連接され上面を覆う上板部２８と、第２の底辺から起立する一対の第３の側板部３４と、一対の谷折り板部３６を有している。一対の谷折り板部３６は、第１の側板部２４の一対の縦辺２４０２と第３の側板部３４とに連接され、第１の側板部２４とこの第１の側板部２４で覆われた除湿器の第１の側面との間に谷折りされている。【選択図】図９
2017109761.tif 000002
【特許請求の範囲】
【請求項１】
底部と、底部から起立する互いに対向する一対の第１の側面および前記対向する方向と直交する方向において互いに対向する一対の第２の側面と、それら側面の上端を接続する上面とを有する除湿器に、前記底部、前記一対の第１の側面、前記上面を覆うように装着される一枚の片体からなる包装容器であって、
前記包装容器は、互いに対向する一対の第１の底辺と前記一対の第１の底辺が対向する方向と直交する方向において互いに対向する一対の第２の底辺とで区画され前記底部が載置される底板部と、前記一対の第１の底辺からそれぞれ起立し前記一対の第１の側面を覆う第１の側板部および第２の側板部と、前記第１の側板部または前記第２の側板部に連接され前記上面を覆う上板部とを有し、
前記第１の側板部と第２の側板部は、互いに対向しそれぞれ前記底板部と前記上板部とを接続する方向に延在する一対の縦辺を有し、
さらに前記包装容器は、前記第２の底辺から起立し前記一対の第２の側面に係止可能な一対の第３の側板部と、前記第１の側板部または前記第２の側板部のうちの少なくとも一方の側板部の前記一対の縦辺と前記第３の側板部とに連接され前記少なくとも一方の側板部とこの側板部で覆われた前記除湿器の前記第１の側面との間に谷折りされた一対の谷折り板部とを有している、
ことを特徴とする除湿器の包装容器。
【請求項２】
前記第１の底辺の長さは、第２の底辺の長さよりも大きい、
ことを特徴とする請求項１記載の除湿器の包装容器。
【請求項３】
前記上板部は前記第１の側板部に連接され、
前記包装容器は、前記第１の側板部が連結された箇所と反対に位置する前記上板部の箇所に連接され前記第２の側板部に重ね合わされる第１の重ね合わせ板部をさらに備え、
前記第１の重ね合せ板部と前記第２の側板部の一方に第１の係止片が設けられ、
前記第１の重ね合せ板部と前記第２の側板部の他方に、前記第１の係止片が係脱可能に挿入され挿入されることで前記第１の係止片が係止する第１の係止孔が設けられている、
ことを特徴とする請求項１または２記載の除湿器の包装容器。
【請求項４】
前記包装容器は、前記上板部と反対に位置する前記第１の重ね合わせ板部の箇所に、切り取り可能な切り取り線を介して連接された第２の重ね合わせ板部をさらに備え、
前記底板部と前記外底板部の一方に第２の係止片が設けられ、
前記底板部と前記外底板部の他方に、前記第２の係止片が係脱可能に挿入され挿入されることで前記第２の係止片が係止する第２の係止孔が設けられている、
ことを特徴とする請求項１〜３の何れか１項記載の除湿器の包装容器。
【請求項５】
前記一対の谷折り板部は、前記少なくとも一方の側板部寄りの前記各第３の側板部の端部から折曲され前記第１の側面に沿って延在する第１の板部と、前記少なくとも一方の側板部の前記縦辺から折曲され前記少なくとも一方の側板部に沿って延在し前記第１の板部に対して谷折りされた第２の板部とを有している、
ことを特徴とする請求項１〜４の何れか１項記載の除湿器の包装容器。
【請求項６】
前記一対の谷折り板部は、前記第１の側板部の前記一対の縦辺と前記第３の側板部に連接され前記第１の側板部とこの側板部で覆われた前記除湿器の前記第１の側面との間にそれぞれ谷折りされて設けられると共に、前記第２の側板部の一対の縦辺と前記第３の側板部に連接され前記第２の側板部とこの側板部で覆われた前記除湿器の前記第１の側面との間にそれぞれ谷折りされて設けられている、
ことを特徴とする請求項１〜４の何れか１項記載の除湿器の包装容器。
【発明の詳細な説明】
【技術分野】
【０００１】
本発明は、一枚の片体からなり除湿器に装着される包装容器に関する。
【背景技術】
【０００２】
除湿剤が収容された容器本体と、容器本体の上端に設けられたフランジと、フランジの内側の上端開口を閉塞する透湿非透水性シートと、透湿非透水性シートを覆う剥離可能な非透湿性シートとを有する除湿器は、すでに市場に流通している。
除湿器は、使用時、非透湿性シートを剥離し、透湿非透水性シートを露出させて使用される。そして、透湿非透水性シートから空気中の水分すなわち湿気が除湿剤に吸収される。
湿気を吸収した除湿剤は液状となり、容器本体の底部に貯留される。そのため、例えば、押し入れやクロゼットの奥部に載置した除湿器を使用しているときに、誤って除湿器を倒した場合、透湿非透水性シートは、液体の容器本体の外部へのこぼれを阻止する部材として機能する。
一方、透湿非透水性シートは破れ易く、何か物が当たるなどすることで破れてしまう。また、透湿非透水シートの表面に手の油や汚れなどが付着することにより液体が漏れ出てしまう可能性がある。
そこで使用時に、透湿非透水性シートを保護するための包装容器が用いられ、この包装容器は、使用時に加え、工場の出荷時から店頭陳列時まで使用されている。
【０００３】
このような包装容器として、切り取り可能な３つの片体により３つの除湿器を包装したものが提案されている（特許文献１）。
この包装容器は、除湿器の使用状態では、一枚の片体が、除湿器の底部から一対の第１の側面の一方の側面、上面、他方の側面、底部に巻回され装着される構造となっており、一対の第２の側面の全域が露出している。
【先行技術文献】
【特許文献】
【０００４】
【特許文献１】特開２００５−８８８９９号公報
【発明の概要】
【発明が解決しようとする課題】
【０００５】
このような包装容器が装着された除湿器を、例えば、たんすや押し入れの奥部に載置する際、あるいは、取り出す際、一対の第２の側面の全域が露出しているため、包装容器から除湿器が抜落し易い。特に、除湿器の使用後、除湿器を交換するために取り出す際は、湿気を吸収して重くなっており、包装容器から除湿器が抜落し、透湿非透水性シートが何かに当たって破れると、湿気を吸収し液状となった除湿剤がこぼれ、その始末が面倒となる。
また、外方に露出する第２の側面が、一枚の片体で覆われる第１の側面よりも大きい場合、除湿器は包装容器からさらに抜落し易い。
また、除湿器の一対の第２の側面の全域が露出しており、包装容器から除湿器が抜落し易いため、工場の出荷時に、包装容器を含む除湿器の全体をセロファンやビニールなどのプラスチックフィルでくるむフィルム包装が必要となり、資材であるフィルムと包装機械とが必要となり、除湿器のコストダウンを図る上で不利がある。
また、出荷時、フィルム包装する前に、除湿器に巻回させた一枚の片体の端部を接着剤や粘着テープなどで取着する作業が必要となり、除湿器のコストダウンを図る上で不利がある。
この発明は以上の点を鑑みてなされたものであり、本発明の目的は、除湿器が抜落し難く、また、フィルム包装や、接着剤、粘着テープによる接着作業を不要とし、コストダウンを図る上で有利な除湿器の包装容器を提供することにある。
【課題を解決するための手段】
【０００６】
上述した目的を達成するために、本発明は、底部と、底部から起立する互いに対向する一対の第１の側面および前記対向する方向と直交する方向において互いに対向する一対の第２の側面と、それら側面の上端を接続する上面とを有する除湿器に、前記底部、前記一対の第１の側面、前記上面を覆うように装着される一枚の片体からなる包装容器であって、前記包装容器は、互いに対向する一対の第１の底辺と前記一対の第１の底辺が対向する方向と直交する方向において互いに対向する一対の第２の底辺とで区画され前記底部が載置される底板部と、前記一対の第１の底辺からそれぞれ起立し前記一対の第１の側面を覆う第１の側板部および第２の側板部と、前記第１の側板部または前記第２の側板部に連接され前記上面を覆う上板部とを有し、前記第１の側板部と第２の側板部は、互いに対向しそれぞれ前記底板部と前記上板部とを接続する方向に延在する一対の縦辺を有し、さらに前記包装容器は、前記第２の底辺から起立し前記一対の第２の側面に係止可能な一対の第３の側板部と、前記第１の側板部または前記第２の側板部のうちの少なくとも一方の側板部の前記一対の縦辺と前記第３の側板部とに連接され前記少なくとも一方の側板部とこの側板部で覆われた前記除湿器の前記第１の側面との間に谷折りされた一対の谷折り板部とを有していることを特徴とする。
【発明の効果】
【０００７】
本発明によれば、底板部の第２の底辺の長手方向に沿った移動は、第１の側板部と第２の側板部により阻止され、底板部の第１の底辺の長手方向に沿った移動は、一対の第３の側板部により阻止される。
また、一対の谷折り板部は、第３の側板部が第２の底辺から起立した状態を保持すると共に、除湿器の第１の側面と、少なくとも一方の側板部との間にあたかもクッション材として介在することになり、第２の底辺の長手方向に沿った除湿器の移動を効果的に阻止する上で有利となる。
したがって、除湿器が包装容器から抜落することはなく、フィルム包装や接着作業を省き包装容器が除湿器に装着された状態で市場に流通させることが可能となる。
【図面の簡単な説明】
【０００８】
【図１】除湿器に包装容器が装着された状態で第１の重ね合わせ板部、第２の側板部、第３の側板部を見た斜視図である。
【図２】除湿器に包装容器が装着された状態で第２の側板部、第３の側板部を見た斜視図である。
【図３】除湿器に包装容器が装着された状態の側面図である。
【図４】図３のＡ-Ａ断面図である。
【図５】除湿器に包装容器が装着された状態の平面図である。
【図６】除湿器に包装容器が装着された状態の底面図である。
【図７】除湿器に包装容器が装着され、第２重ね板部を切り離した状態の斜視図である。
【図８】片体の展開図である。
【図９】底板部の一対の第１の底辺から第１の側板部と第２の側板部を折り曲げ、直線状切れ目から第１の側板部に対して上板部を折り曲げ、直線状切れ目から上板部に対して第１の重ね板部を折り曲げ、谷折り用折り目で第１の板部と第２の板部を谷折りした状態の斜視図である。
【図１０】第２の実施の形態の片体の展開図である。
【図１１】除湿器に第２の実施の形態の包装容器が装着された状態の側面図である。
【図１２】除湿器の斜視図である。
【発明を実施するための形態】
【０００９】
以下、本発明の実施の形態を図示例と共に説明する。
まず、図１２を参照して包装容器１０が装着される除湿器１２から説明する。
除湿器１２は、除湿剤、容器本体１４、透湿非透水性シート１６、非透湿性シート１８を備えている。
容器本体１４は、底部１４０２と、底部１４０２から起立する一対の第１の側面１４０４および一対の第２の側面１４０６と、それら側面１４０４，１４０６の上端にわたって形成されたフランジ１４０８とを有し、フランジ１４０８の内側が開口１４１０となっている。
一対の第１の側面１４０４は互いに対向しており、一対の第２の側面１４０６は、一対の第１の側面１４０４が対向する方向と直交する方向において対向している。
容器本体１４は、平面視した場合、長方形を呈し、第１の側面１４０４と第２の側面１４０６は同一の高さで形成されると共に、高さと直交する方向に延在する第１の側面１４０４の長さは第２の側面１４０６の長さよりも大きい寸法で形成されている。
なお、第１の側面１４０４の上に位置するフランジ１４０８を第１のフランジ部分１４０８Ａとし、第２の側面１４０６の上に位置するフランジ１４０８部分を第２のフランジ部分１４０８Ｂと呼ぶ。
【００１０】
除湿剤は容器本体１４の内部に収容され、透湿非透水性シート１６がフランジ１４０８に貼着されて開口１４１０を塞いでおり、除湿剤が除湿を開始しないように、透湿非透水性シート１６の上に非透湿性シート１８が剥離可能に貼られている。
したがって、除湿器１２の上面１２０２は、非透湿性シート１８が剥離されない状態では非透湿性シート１８で構成され、非透湿性シート１８が剥離された状態では透湿非透水性シート１６で構成される。
なお、透湿非透水性シート１６および非透湿性シート１８は、実際には、フランジ１４０８の外側に突出する寸法で形成されているが、発明の要部を明瞭にするため、全ての図面において、透湿非透水性シート１６の外縁と非透湿性シート１８の外縁とを、フランジ１４０８の外縁に一致させて描いている。
【００１１】
包装容器１０は、図８、図９に示す一枚の片体２０で構成され、一枚の片体２０は、図１〜図３に示すように、除湿器１２の底部１４０２、一対の第１の側面１４０４、上面１２０２を覆うように除湿器１２に巻回され、装着されている。
このような片体２０として、厚紙などのような従来公知の様々な材料が使用可能である。なお、図１〜図６において描かれた除湿器１２は未使用のものであり、除湿器１２の上面１２０２は非透湿性シート１８で構成されている。
包装容器１０および包装容器１０を構成する片体２０は、図８に示すように、底板部２２、第１の側板部２４、第２の側板部２６、上板部２８、第１の重ね合わせ板部３０、第２の重ね合わせ板部３２、一対の第３の側板部３４、一対の谷折り板部３６を有している。
【００１２】
図３、図６に示すように、底板部２２は、除湿器１２の底部１４０２が載置される箇所である。
図８に示すように、底板部２２は、互いに対向する一対の第１の底辺２２０２と、一対の第１の底辺２２０２が対向する方向と直交する方向において互いに対向する一対の第２の底辺２２０４とで区画され、平面視ほぼ長方形を呈している。
第１の底辺２２０２が長方形の長辺に相当しており、第２の底辺２２０４が長方形の短辺に相当している。
一対の第１の底辺２２０２と、一対の第２の底辺２２０４とに沿って、片体２０を折り易くするための折り目が形成されている。
一対の第１の底辺２２０２のうちの一方の第１の底辺２２０２寄りに位置する底板部２２の箇所に、第１の底辺２２０２と平行する方向に延在する第２の係止孔２２０６が切れ目により形成されている。
【００１３】
底板部２２の一対の第１の底辺２２０２を介して第１の側板部２４および第２の側板部２６が連接されている。
第１の側板部２４および第２の側板部２６は、除湿器１２の一対の第１の側面１４０４を覆う箇所である。
第１の側板部２４および第２の側板部２６は、除湿器１２の第１の側面１４０４の形状に対応し、第１の底辺２２０２から離れるにつれて次第に第１の底辺２２０２と平行する方向の寸法である側板部２４，２６の長さが大きくなるように形成され、ほぼ台形状を呈している。
第１の側板部２４の高さは、第２の側板部２６の高さより大きい寸法で形成されている。
ほぼ台形状をなす第１の側板部２４の一対の斜辺は、片体２０が除湿器１２に装着された状態で底板部２２と上板部２８とを接続する方向に延在し互いに対向する一対の縦辺２４０２となる。一対の縦辺２４０２に沿って片体２０を折り易くするための折り目が形成されている。
また、第１の底辺２２０２に対向する第２の側板部２６の上辺２６０２寄りの箇所に、上辺２６０２に平行して延在する第１の係止孔２６０４が切れ目により形成されている。
【００１４】
第１の側板部２４に上板部２８が連接され、上板部２８に第１の重ね合わせ板部３０が連接されている。
図１、図２、図５に示すように、上板部２８は、除湿器１２の上面１２０２を覆う箇所であり、除湿器１２の上面１２０２とほぼ同じ大きさの長方形で形成され、図８に示すように、上板部２８の一対の長辺のうちの一方の長辺に第１の側板部２４が連接され、他方の長辺に第１重ね合わせ板部が連接されている。
上板部２８と第１の側板部２４との境の箇所および上板部２８と第１の重ね合わせ板部３０との境の箇所には、第１の底辺２２０２と平行する方向に直線状に延在する直線状切れ目２８０２と、直線状切れ目２８０２の両端に接続され上板部２８の内側に突出するコ字状切れ目２８０４とが形成されている。
【００１５】
上板部２８には、２つの長孔形成部２８０６が、切り取り可能な切り取り線を介して形成されている。切り取り線に沿って長孔形成部２８０６を取り除くと、上板部２８には、長孔形成部２８０６に対応した大きさの長孔２８０８が２つ形成される。すなわち、除湿器１２の使用時に、非透湿性シート１８を剥して透湿非透水性シート１６を露出させ、透湿非透水性シート１６を上板部２８で覆い、上板部２８で透湿非透水性シート１６の保護を図り、また、２つの長孔２８０８、透湿非透水性シート１６を介して除湿剤による除湿が行なわれる。
【００１６】
第１の重ね合わせ板部３０は、第２の側板部２６の上辺２６０２寄りの箇所に重ね合わされる箇所である。
第１の重ね合わせ板部３０には、第１の係止孔２６０４に係脱可能な第１の係止片３００２が切れ目により形成されている。
【００１７】
第２の重ね合わせ板部３２は、第１の重ね合わせ板部３０に切り取り帯３８を介して連接されている。
切り取り帯３８は、互いに間隔をおいて直線状切れ目２８０２と平行する切り取り可能な２本の切り取り線３８０２に挟まれて形成されている。
第２の重ね合わせ板部３２は、第２の側板部２６の第２の底辺２２０４寄りの箇所に重ね合わされる第１部分３２０２と、第１部分３２０２に折り目を介して連接され、第２の底辺２２０４寄りの底板部２２に重ね合わされる第２部分３２０４とを有している。
第２部分３２０４には、第２の係止孔２２０６に係止可能な第２の係止片３２０６が突設されている。
【００１８】
一対の第３の側板部３４は、一対の第２の底辺２２０４に連接され、図９、図１〜図３に示すように、それら一対の第３の側板部３４は、一対の第２の底辺２２０４からそれぞれ起立し、一対の第２の側面１４０６に係止可能となる。
一対の谷折り板部３６は、図８、図９に示すように、第１の側板部２４の一対の縦辺２４０２と一対の第３の側板部３４に連接されている。一対の谷折り板部３６は、第１の側板部２４とこの側板部で覆われた除湿器１２の第１の側面１４０４との間で谷折りされ、第３の側板部３４が第２の底辺２２０４から起立した状態を保持する。
【００１９】
詳細に説明すると、一対の谷折り板部３６は、それぞれ第１の板部４０と第２の板部４２とを有し、第１の板部４０と第２の板部４２とは谷折り用折り目４６を介して連接されている。
図９、図４に示すように、第１の板部４０は、第１の側板部２４寄りの各第３の側板部３４の端部から折り目を介して折曲され、除湿器１２の第１の側面１４０４に沿って延在する。
第２の板部４２は、第１の側板部２４の一対の縦辺２４０２から折曲され、第１の側板部２４に沿って延在し、第１の板部４０に対して谷折り用折り目４６で谷折りされる。
【００２０】
つぎに、出荷時に片体２０を除湿器１２に装着する手順について説明する。
底板部２２に、除湿器１２の底部１４０２を載置し、第１の側板部２４と第２の側板部２６を第１の底辺２２０２から起立させる。
また、一対の第３の側板部３４を第２の底辺２２０４から起立させ、谷折り用折り目４６で谷折りになるように、第１の板部４０を第３の側板部３４の端部から折曲し、第２の板部４２を縦辺２４０２から折曲する。これにより第１の板部４０と第２の板部４２は、第１の側板部２４とこの側板部２４で覆われた除湿器１２の第１の側面１４０４との間で谷折りされ、第３の側板部３４が第２の底辺２２０４から起立した状態を保持する。
一対の第３の側板部３４が起立されることで、一対の第３の側板部３４は除湿器１２の一対の側面に係止可能となり、除湿器１２の第１の底辺２２０２の長手方向に沿った移動が阻止される。
【００２１】
つぎに、両側のコ字状切れ目２８０４の両側部分で第１の側板部２４から上板部２８を折曲し、上板部２８で除湿器１２の上面１２０２を覆う。
上板部２８を折曲すると、図１、図２、図７に示すように、直線状切れ目２８０２、コ字状切れ目２８０４の部分にスリット２８１０が形成され、容器本体１４の第１のフランジ部分１４０８Ａ、およびこの第１のフランジ部分１４０８Ａに貼着された透湿非透水性シート１６および非透湿性シート１８の部分をスリット２８１０に挿入する。
【００２２】
つぎに、両側のコ字状切れ目２８０４の両側部分で第１の重ね合わせ板部３０を上板部２８から折曲する。
第１の重ね合わせ板部３０を折曲すると、直線状切れ目２８０２、コ字状切れ目２８０４の部分に前記と同様にスリット２８１０が形成され、容器本体１４の第１のフランジ部分１４０８Ａ、およびこの第１のフランジ部分１４０８Ａに貼着された透湿非透水性シート１６および非透湿性シート１８の部分をスリット２８１０に挿入する。
このように容器本体１４の互いに対向する第１のフランジ部分１４０８Ａ、およびこの第１のフランジ部分１４０８Ａに貼着された透湿非透水性シート１６および非透湿性シート１８の部分が上板部２８の両側のスリット２８１０に挿入されることで、第２の底辺２２０４の長手方向に沿った除湿器１２の移動が阻止される。
次に、第２の重ね合わせ板部３２の第１部分３２０２に対して第２部分３２０４を折曲し、第２部分３２０４を底板部２２に重ね合わせる。
そして第２の係止片３２０６を第２の係止孔２２０６に挿入し、第１の片体２０が除湿器１２に装着された状態を保持する。
【００２３】
このように第１の片体２０が除湿器１２に装着された状態で、除湿器１２の第２の底辺２２０４の長手方向に沿った移動は、上板部２８の両側のスリット２８１０に容器本体１４の第１のフランジ部分１４０８Ａが挿入されて阻止されることに加え、第１の側板部２４と第２の側板部２６により阻止される。
また、除湿器１２の第１の底辺２２０２の長手方向に沿った移動は、一対の第３の側板部３４により阻止される。
したがって、底板部２２と上板部２８とにより除湿器１２の上下方向の移動が阻止されていることから、除湿器１２が包装容器１０から抜落することはなく、包装容器１０が除湿器１２に装着された状態で市場に流通させることが可能となる。
【００２４】
したがって、フィルム包装を省略でき、除湿器１２のコストダウンを図る上で有利となる。なお、商品価値をより高めるため、フィルム包装することは任意である。
また、面積の大きい除湿器１２の第１の側面１４０４の全域が、第１の側板部２４と、第２の側板部２６および第１の重ね板部により覆われているので、従来のように、包装容器１０からの除湿器１２の抜落を阻止する上でより有利となる。
さらに、一対の谷折り板部３６は、除湿器１２の第１の側面１４０４と第１の側板部２４との間にあたかもクッション材として介在することになり、第２の底辺２２０４の長手方向に沿った除湿器１２の移動を効果的に阻止する上で有利となる。
【００２５】
つぎに除湿器１２を使用する場合について説明する。
２本の切り取り線３８０２から切り取り帯３８を切り離し、第２の係止孔２２０６から第２の係止片３２０６を取り外し、第２の重ね合わせ板部３２を切り離す。
次に、除湿器１２の両側の第１のフランジ部分１４０８Ａを両側のスリット２８１０から外し、第１の重ね合わせ板部３０と共に上板部２８を持ち上げ、非透湿性シート１８を剥し、透湿非透水性シート１６を露出させる。
また、切り取り線に沿って長孔形成部２８０６を取り除き、上面部に２つの長孔２８０８を形成する。
そして、上板部２８を除湿器１２の上面１２０２をなす透湿非透水性シート１６の上に重ね、除湿器１２の両側の第１のフランジ部分１４０８Ａを両側のスリット２８１０に挿入し、第１の重ね合わせ板部３０を第２の側板部２６に重ね、第１の係止孔２６０４に第１の係止片３００２を挿入し、包装容器１０が除湿器１２に装着された状態を保持する。
【００２６】
このように、包装容器を装着した除湿器１２を載置場所に載置した状態で除湿器１２を使用状態にすることができるため、持ち上げて使用状態にする場合のように不意に除湿器１２が落下し透湿非透水性シート１６が何かに当たって破れ、除湿剤がこぼれるなどの不具合を防止する上で有利となる。
また、第１の片体２０が除湿器１２に装着された状態で、前記と同様に、除湿器１２の第１の底辺２２０２および第２の底辺２２０４の長手方向に沿った移動が阻止され、底板部２２と上板部２８とにより除湿器１２の上下方向の移動が阻止されていることから、除湿器１２が包装容器１０から抜落することはない。
さらに、一対の谷折り板部３６が、除湿器１２の第１の側面１４０４と第１の側板部２４との間にあたかもクッション材として介在することになり、第２の底辺２２０４の長手方向に沿った除湿器１２の移動を効果的に阻止する上で有利となる。
したがって、除湿器１２を押し入れやクロゼットの奥部に載置する際、あるいは、除湿器１２の使用後、除湿器１２を押し入れやクロゼットの奥部から取り出す際、包装容器１０からの除湿器１２の抜落を防止する上で有利となり、したがって、除湿器１２の使用後、包装容器１０から除湿器１２が抜落し透湿非透水性シート１６が何かに当たって破れ、湿気を吸収し液状となった除湿剤がこぼれるなどの不具合を防止する上で有利となる。
また、面積の大きい除湿器１２の第１の側面１４０４の全域が、第１の側板部２４と、第２の側板部２６および第１の重ね板部により覆われているので、従来のように、包装容器１０からの除湿器１２の抜落を阻止する上でより有利となる。
【００２７】
なお、切り取り帯３８を設けずに、第１の重ね合わせ板部３０と第２の重ね合わせ板部とを一体に設けてもよい。ただし、実施の形態のように、切り取り帯３８を設け第２の重ね合わせ板部３２を切り離しできるようにすると、除湿器１２からの包装容器１０の取り外しを簡単に行なう上で有利となる。すなわち、除湿器１２の使用後、液状となった除湿剤を捨てる際に除湿器１２から包装容器１０を取り外す時、除湿器１２の底部１４０２の下方において第２の係止片３２０６を第２の係止孔２２０６から抜き出す場合に較べ、除湿器１２の第１の側面１４０４の側方において第１の係止孔２６０４から第１の係止片３００２を簡単に抜き出すことができる。したがって、除湿器１２からの包装容器１０の取り外しを簡単に行なえ、透湿非透水性シート１６が破れた場合であっても、容器本体１４が傾いて液状となった除湿剤がこぼれるなどの不具合を防止する上で有利となる。
【００２８】
また、非透湿性シート１８が透湿非透水性シート１６に貼着され、第２の重ね合わせ板部３２が取り除かれた図７に示す包装容器１０の装着状態で市場に流通させてもよく、あるいは、第１の係止孔２６０４に第１の係止片３００２を挿入せず第１の重ね合わせ板部３０を第２の側板部２６に重ね合わせた状態で、第１の重ね合わせ板部３０をテープなどで第２の側板部２６に貼着し市場に流通させてもよく、あるいは、商品価値をより高めるため第１の係止孔２６０４に第１の係止片３００２を挿入せず第１の重ね合わせ板部３０を第２の側板部２６に重ね合わせた状態でフィルム包装し、市場に流通させるようにしてもよい。
【００２９】
また、本実施の形態では、第１の側板部２４と第３の側板部３４との間に一対の谷折り板部３６を設けた場合について説明したが、一対の谷折り板部３６は、第２の側板部２６と第３の側板部３４との間に設けるようにしてもよい。
また、一対の谷折り板部３６は、第１の側板部２４と第３の側板部３４との間、第２の側板部２６と第３の側板部３４との間の双方に設けるようにしてもよい。
このような構成を採用ことにより第２の底辺２２０４の長手方向に沿った除湿器１２の移動を効果的に阻止する上でより有利となる。
【００３０】
この場合には、図１０、図１１に示すように、一対の谷折り板部３６は２組設けられる。２組のうち一方の一対の谷折り板部３６Ａは、第１の側板部２４の一対の縦辺２４０２と第３の側板部３４に連接され第１の側板部２４とこの側板部２４で覆われた除湿器１２の第１の側面１４０４との間に谷折り用折り目４６で谷折りされて設けられる。
また、他方の一対の谷折り板部３６Ｂは、第２の側板部２６の一対の縦辺２４０２と第３の側板部３４に連接され第２の側板部２６とこの側板部２６で覆われた除湿器１２の第１の側面１４０４との間に谷折り用折り目４６で谷折りされて設けられる。
【００３１】
そして、第１の側板部２４とこの側板部２４で覆われた第１の側面１４０４との間に設けられた一対の谷折り板部３６Ａは、第３の側板部３４の第１の側板部２４寄りの端部から折曲され第１の側面１４０４に沿って延在する第１の板部４０と、第１の側板部２４の縦辺２４０２から折曲され第１の側板部２４に沿って延在し第１の板部４０に対して谷折り用折り目４６で谷折りされた第２の板部４２とを有する。
また、第２の側板部２６とこの側板部２６で覆われた第１の側面１４０４との間に設けられた一対の谷折り板部３６Ｂは、第３の側板部３４の第２の側板部２６寄りの端部から折曲され第１の側面１４０４に沿って延在する第１の板部４０と、第２の側板部２６の縦辺２６０６から折曲され第２の側板部２６に沿って延在し第１の板部４０に対して谷折り用折り目４６で谷折りされた第２の板部４２とを有する。
【符号の説明】
【００３２】
１０……包装容器
１２……除湿器
１４……容器本体
１４０２……底部
１４０４……第１の側面
１４０６……第２の側面
１４０８……フランジ
１６……透湿非透水性シート
１８……非透湿性シート
２０……片体
２２……底板部
２２０６……第２の係止孔
２４……第１の側板部
２６……第２の側板部
２６０４……第１の係止孔
２８……上板部
３０……第１の重ね合わせ板部
３００２……第１の係止孔
３２……第２の重ね合わせ板部
３２０６……第２の係止片
３４……第３の側板部
３６……谷折り板部
４０……第１の板部
４２……第２の板部
４６……谷折り用折り目
【図１】
2017109761.tif 000003
【図２】
2017109761.tif 000004
【図３】
2017109761.tif 000005
【図４】
2017109761.tif 000006
【図５】
2017109761.tif 000007
【図６】
2017109761.tif 000008
【図７】
2017109761.tif 000009
【図８】
2017109761.tif 000010
【図９】
2017109761.tif 000011
【図１０】
2017109761.tif 000012
【図１１】
2017109761.tif 000013
【図１２】
2017109761.tif 000014